(57)【要約】【課題】鉢面を洗い残し無く極めて十分に洗浄することができる便器洗浄装置を提供する。【解決手段】用便（大便）後に洋風便器１に洗浄水を供給するときには、まず弁２２ａが所定時間開弁し、リムノズル４ａから水道水圧によってリム３へ洗浄水が供給され、鉢面に左回りの旋回流が形成される。次に、弁２２ａが閉弁して所要時間Ｔが経過した後、２２ｂが所定時間開弁し、リムノズル４ｂから水道水圧によってリム３へ洗浄水が供給され、鉢面に右回りの旋回流が形成される。【選択図】図１
2005171603.tif 000002
【特許請求の範囲】
【請求項１】
便鉢の上縁に沿って延設されたリム通水路に洗浄水を供給する便器洗浄装置において、
該リム通水路に対し一方向に洗浄水を供給して便鉢内に該一方向の旋回流を形成し、
次いで、該一方向への洗浄水を停止し、所定時間後に該リム通水路に対し反対方向に洗浄水を供給して便鉢内に反対方向の旋回流を形成するように構成されていることを特徴とする便器洗浄装置。
【発明の詳細な説明】
【技術分野】
【０００１】
本発明は、便器のリム通水路に洗浄水を供給して便鉢を洗浄する便器洗浄装置に係り、特にリム通水路への給水方向を切り替えるように構成された便器洗浄装置に関する。
【背景技術】
【０００２】
洋風便器の便鉢の上縁に設けられたリム通水路に洗浄水を供給して鉢面に旋回流を形成させて鉢面を洗浄する便器洗浄装置は周知である。
【０００３】
従来の便器洗浄装置は、リム通水路への給水方向は一方向であり、鉢面に形成される旋回流の旋回方向は常に同一方向となっている。
【０００４】
このように常に同一方向に旋回流を形成させるようにした洋風便器にあっては、鉢面に部分的に水が行き届きにくい箇所が生じ、その箇所に汚れが付着残留しがちとなる。
【０００５】
このような短所を解決しようとするものとして、特開２００２−３０２９８８号公報の第００１８段落、図２等には、リム通水路への給水方向を絶えず交互に切り替え、右回りの水流を左回りの水流とがぶつかる位置を変化させ、鉢面を均一に洗浄する便器洗浄装置が記載されている。
【特許文献１】特開２００２−３０２９８８号公報
【発明の開示】
【発明が解決しようとする課題】
【０００６】
上記特開２００２−３０２９８８号公報の便器洗浄装置にあっては、右回りの水が左回りの水とがぶつかり、このぶつかった水はそのまま便鉢のトラップ部に落下してしまうため、鉢面を周回する旋回流が殆ど形成されず、鉢面の洗浄が不十分なものとなり易い。
【０００７】
本発明は、鉢面を洗い残し無く極めて十分に洗浄することができる便器洗浄装置を提供することを目的とする。
【課題を解決するための手段】
【０００８】
本発明（請求項１）の便器洗浄装置は、便鉢の上縁に沿って延設されたリム通水路に洗浄水を供給する便器洗浄装置において、該リム通水路に対し一方向に洗浄水を供給して便鉢内に該一方向の旋回流を形成し、次いで、該一方向への洗浄水を停止し、所定時間後に該リム通水路に対し反対方向に洗浄水を供給して便鉢内に反対方向の旋回流を形成するように構成されていることを特徴とするものである。
【発明の効果】
【０００９】
かかる本発明の便器洗浄装置によると、例えば鉢面に左回りの旋回流を形成するように左回り方向に洗浄水を供給し、次いでこの給水を停止し、左回りの旋回流が停止するか又は著しく弱くなってから右回り方向に洗浄水を供給して鉢面に右回りの旋回流を形成する。このように、左回りと右回りの双方の旋回流を形成すると共に、両者の給水時間帯を離隔させ、左回り旋回流と右回り旋回流とが全く又は殆どぶつからないようにしているので、いずれの旋回流も鉢面全体に十分に行き渡るようになり、鉢面を十分に洗浄することが可能となる。
【発明を実施するための最良の形態】
【００１０】
以下、図面を参照して実施の形態について説明する。第１図（ａ）は実施の形態に係る便器洗浄装置を備えた洋風便器設備の斜視図、第１図（ｂ）はその電動弁ユニット及び蓄圧水供給機構の構成図、第２図は洗浄水供給流路の給水タイミングチャート、第３図は洗浄状態を示す便器平面図、第４図は洋風便器の斜視図である。
【００１１】
陶器製の洋風便器１は、前部に鉢部２を備え、この鉢部２の上部内周にリム通水路（以下、リムと略）３が設けられている。このリム３へはリムノズル４ａを介して左回りに洗浄水が供給され、リムノズル４ｂを介して右回りに洗浄水が供給される。このリムノズル４ａは、洋風便器１の正面向って左奥側から前方に向ってリム３内へ水を流出させるよう構成されており、リムノズル４ｂは右奥側から前方に向ってリム３内へ水を流出させるよう構成されている。
【００１２】
第３図（ａ），（ｂ）の通り、このリムノズル４ａから水がリム３に供給されることにより、鉢面には左回りの旋回流が形成され、リムノズル４ｂから水がリム３に供給されることにより右回りの旋回流が形成される。
【００１３】
鉢部２のトラップ部には、該トラップ部にサイホン排出流を誘起するための水（ジェット水）を噴出するジェットノズル５が設けられている。このトラップ部は、鉢部２の底部から斜め上方に立ち上がる上昇部と、該上昇部に連なり、下方に立ち下がる立下部とを有しており、この立下部が排水管（図示略）に連なっている。このトラップ構造自体は周知のものである。
【００１４】
洋風便器１の後部上面に便座ボックス６が設置されている。この便座ボックス６の後部は洋風便器１よりも若干後方に張り出し、その下側にアンダーケース７が連なっている。便座ボックス６に対し便座８及び便蓋９が起倒回動しうるように支持されている。
【００１５】
トイレルームの壁面には給水管の末端が突出しており、この給水管の末端に止水栓１０が取り付けられている。この止水栓１０は給水ホース１１を介して洋風便器１の後部に設置されたストレーナ１２に接続されている。このストレーナ１２を通過した水は電動弁ユニット２０へ供給可能とされている。
【００１６】
電動弁ユニット２０は、内部に配置された弁装置（以下、単に弁ということがある。）２２ａ，２２ｂ，２３をモータ２１で駆動し、リムノズル給水配管２４ａ，２４ｂ又はジェットノズル給水配管２５へ水を供給する。
【００１７】
なお、停電時にも便器を使用できるようにするために、モータ２１の回転軸に手動式の洗浄ハンドル２８が取り付けられている。この電動弁ユニット２０は、便座ボックス６からアンダーケース７内に配置されている。
【００１８】
この電動弁ユニット２０には、リムノズル用給水配管２４ａ，２４ｂ内及びジェットノズル用給水配管２５内の負圧をブレークするためのバキュームブレーカ２６ａ，２６ｂ，２７が設けられている。このバキュームブレーカ２６ａ，２６ｂ，２７は、該給水配管２４ａ，２４ｂ又は２５内に負圧が生じたときに開弁して該給水配管２４ａ，２４ｂ又は２５内を大気に連通させるよう構成されている。
【００１９】
用便（大便）後に洋風便器１に洗浄水を供給するときには、第２，３図に示すように、まず弁２２ａが所定時間開弁し、リムノズル４ａから水道水圧によってリム３へ洗浄水が供給され、鉢面に左回りの旋回流が形成される。次に、弁２２ａが閉弁して所要時間Ｔが経過した後、２２ｂが所定時間開弁し、リムノズル４ｂから水道水圧によってリム３へ洗浄水が供給され、鉢面に右回りの旋回流が形成される。
【００２０】
この弁２２ｂの閉弁後、ある程度時間が経過した後、又は閉弁と略同時に、弁２３が所定時間開弁し、ジェットノズル５から水が噴出してトラップ部にサイホンが誘起され、汚水が排水管へ排出される。その後、弁２３が閉弁し、次いで弁２２ａ，２２ｂの一方又は双方（この実施の形態では弁２２ａのみ）が再度所要時間開弁し、トラップ水が貯溜される。
【００２１】
なお、弁２２ａ，２２ｂの開弁時間は同一でもよく、異なっていてもよい。弁２２ａが閉弁してから弁２２ｂが開弁するまでの待機時間Ｔは、左回り旋回流が停止するか又は著しく弱くなるように選定される。洗浄水量や水圧にもよるが、通常はＴは２〜１０秒程度、特に３〜６秒程度が好適である。
【００２２】
上記実施の形態では、左回りの旋回流を先に形成しているが、右回りの旋回流を先に形成してもよい。また、左回りと右回りの洗浄の後に、所定時間後、さらに再度左回り洗浄を繰り返してもよく、この再度の左回り洗浄の後に、所定時間経過後、再度の右回り洗浄を行ってもよい。
【００２３】
上記実施の形態では左右２個のノズル２４ａ，２４ｂを設けているが、吐出方向切替可能な１個のノズルを設けてもよい。
【００２４】
上記実施の形態では水道水圧によって洗浄水を供給しているが、ロータンクやハイタンク等の貯水でリム洗浄する場合にも本発明を適用することができる。
【図面の簡単な説明】
【００２５】
【図１】（ａ）図は実施の形態に係る便器洗浄装置を備えた洋風便器設備の斜視図、（ｂ）はその電動弁ユニットの構成図である。
【図２】実施の形態に係る便器洗浄装置の洗浄タイミングチャートである。
【図３】鉢面洗浄水の旋回流を示す平面図である。
【図４】洋風便器の斜視図である。
【符号の説明】
【００２６】
１  洋風便器
２  鉢部
３  リム
４ａ，４ｂ  リムノズル
５  ジェットノズル
６  便座ボックス
７  アンダーカバー
１０  止水栓
１１  給水ホース
１２  ストレーナ
２０  電動弁ユニット
【図１】
2005171603.tif 000003
【図２】
2005171603.tif 000004
【図３】
2005171603.tif 000005
【図４】
2005171603.tif 000006